(57)【要約】【課題】筐体と接続部材との間の防水信頼性を確保できる折畳電子機器を提供する。【解決手段】第１筐体２０と第２筐体３０は開閉可能に接続されており、第１筐体２０の第１回路基板２４と、第２筐体３０の第２回路基板３４とは、接続部材４１により接続されている。接続部材４１は、止水部材２３，５１により覆われて第１筐体２０の第１孔２８を貫通した後に、第１孔２８より外側に設けられた第１リブ２７１，２７２に接触して第１筐体２０から引き出されるので、第１リブ２７１，２７２により接続部材４１の上下左右への揺動範囲が規制され、揺動の影響は第１孔２８の位置では大幅に低減できる。これにより、接続部材４１の揺動による止水部材２３，５１の劣化が回避できるので、第１筐体２０と接続部材４１との間の防水信頼性を確保できる。【選択図】図２
2011228892.tif 000002
【特許請求の範囲】
【請求項１】
第１筐体と、
前記第１筐体と開閉可能に接続された第２筐体と、
前記第１筐体内に配置された第１回路基板と、
前記第２筐体内に配置された第２回路基板と、
前記第１回路基板と前記第２回路基板とを電気的に接続し、可撓性を有する接続部材と、
前記第１筐体に設けられ、前記接続部材を貫通させる孔と、
前記第１筐体に設けられ、前記接続部材と接触するリブと、
前記孔に設けられ、前記接続部材を覆う止水部材と、を備え、
前記孔は、前記リブよりも前記第１の回路基板側に位置する折畳電子機器。
【請求項２】
請求項１に記載の折畳電子機器において、
前記第１筐体が、当該第１筐体を構成するカバーおよびケースを有し、
前記孔および前記リブが、前記カバーおよび前記ケースの境界線に設けられている折畳電子機器。
【請求項３】
請求項１または請求項２に記載の折畳電子機器において、
前記第２筐体に設けられ、前記接続部材を貫通させる第２孔と、
前記第２筐体に設けられ、前記接続部材と接触する第２リブと、
前記第２孔に設けられ、前記接続部材を覆う止水部材と、を備え、
前記第２孔は、前記第２リブよりも前記第２の回路基板側に位置する折畳電子機器。
【発明の詳細な説明】
【技術分野】
【０００１】
本発明は、折り畳み式に接続された二つの筐体を電気的に接続する接続部材と、筐体との間の防水構造に特徴を有する折畳電子機器に関するものである。
【背景技術】
【０００２】
従来、折畳電子機器では、二つの筐体を電気的に接続する接続部材に防水部材を取り付けて防水性を保持している（例えば特許文献１参照）。
図７に示すように、折畳電子機器である携帯用電話機１００においては、第１筐体１０１と第２筐体１０２がヒンジ１０３によって開閉可能に連結され、第１筐体１０１と第２筐体１０２は、フレキシブル配線基板（以後、「ＦＰＣ」という。）１０４によって電気的に接続されている。ＦＰＣ１０４は、一端が通し孔１０５を介して第１筐体１０１の内部に挿入され第１の基板（図示省略）に接続され、他端が通し孔１０６を介して第２筐体１０２の内部に挿入されて第２の基板（図示省略）に接続される。各通し孔１０５，１０６には、それぞれ防水キャップ１０７，１０８が取り付けられており、ＦＰＣ１０４は防水キャップ１０７，１０８を貫通して各筐体１０１，１０２に出入りする。これにより、各筐体１０１，１０２の防水性を保持している。
【先行技術文献】
【特許文献】
【０００３】
【特許文献１】特許第４１６２６７４号公報（第１図）
【発明の概要】
【発明が解決しようとする課題】
【０００４】
しかしながら、前述した特許文献１に記載の従来の携帯用電話機１００においては、図８に示すように、筐体１０１，１０２の開閉に伴ってＦＰＣ１０４が上下に揺動する。これに伴い、防水キャップ１０７、１０８の角部１０９が繰り返し押圧力を受けて押しつぶされて、防水キャップ１０７、１０８とＦＰＣ１０４との密着部分の長さが短くなり、防水性能が次第に低下するという問題があった。
【０００５】
本発明は、従来の問題を解決するためになされたもので、筐体と接続部材との間の防水信頼性を確保できる折畳電子機器を提供することを目的とする。
【課題を解決するための手段】
【０００６】
本発明の折畳電子機器は、第１筐体と、前記第１筐体と開閉可能に接続された第２筐体と、前記第１筐体内に配置された第１回路基板と、前記第２筐体内に配置された第２回路基板と、前記第１回路基板と前記第２回路基板とを電気的に接続し、可撓性を有する接続部材と、前記第１筐体に設けられ、前記接続部材を貫通させる孔と、前記第１筐体に設けられ、前記接続部材と接触するリブと、前記孔に設けられ、前記接続部材を覆う止水部材と、を備え、前記孔は、前記リブよりも前記第１回路基板側に位置するものである。
【０００７】
また、本発明の折畳電子機器は、前記第１筐体が、当該第１筐体を構成するカバーおよびケースを有し、前記孔および前記リブが、前記カバーおよび前記ケースの境界線に設けられたものである。
【０００８】
さらに、本発明の折畳電子機器は、前記第２筐体に設けられ、前記接続部材を貫通させる第２孔と、前記第２筐体に設けられ、前記接続部材と接触する第２リブと、前記第２孔に設けられ、前記接続部材を覆う止水部材と、を備え、前記第２孔は、前記第２リブよりも前記第２回路基板側に位置するものである。
【発明の効果】
【０００９】
本発明は、接続部材の揺動による止水部材の劣化が回避できるので、筐体と接続部材との間の防水信頼性を確保できるという効果を有する折畳電子機器を提供できる。
【図面の簡単な説明】
【００１０】
【図１】本発明に係る実施形態の折畳電子機器を閉状態で示す斜視図
【図２】折畳電子機器を開いた状態を示す分解斜視図
【図３】（Ａ）は下筐体の連結部側端部の断面図、（Ｂ）は上筐体の連結部側端部の断面図
【図４】下筐体におけるＦＰＣ回りの防水構造の例を示す分解斜視図
【図５】図３中の接続部分の拡大断面図
【図６】下筐体における細線同軸の別の防水構造の例を示す斜視図
【図７】従来の携帯用電話機の分解斜視図
【図８】従来の携帯用電話機における問題点を示す断面図
【発明を実施するための形態】
【００１１】
以下、本発明の実施形態の折畳電子機器について、図面を用いて説明する。
図１および図２に示すように、本発明に係る実施形態の折畳電子機器としての折り畳み式携帯端末１０は、操作部２１１が設けられた第１筐体としての下筐体２０と、表示部３１１が設けられた第２筐体としての上筐体３０と、下筐体２０および上筐体３０を折畳み自在（開閉自在）に連結する連結部４０とを有する。
【００１２】
下筐体２０は、上面に操作部２１１を有し下方が開口した矩形箱状のカバーである下カバー２１と、上方が開口した矩形箱状のケースである下ケース２２とを有する。下カバー２１と下ケース２２とを組み合わせて形成される内部空間には、第１回路基板である下回路基板２４を収容する。下カバー２１および下ケース２２は、各々外周に沿って全体コ字状に外壁２５１，２５２を有し、連結部４０側端部には下カバー２１および下ケース２２を幅方向に横切る縦壁２６１，２６２を対向する位置に有する。
【００１３】
カバーおよびケースの境界線である下カバー２１および下ケース２２の間には、縦壁２６１，２６２の上端面および３辺の外壁２５１，２５２の上端面を通る矩形枠状の第１両面防水テープ２３が貼設されており、この第１両面防水テープ２３を介して下筐体２０が一体化される。第１両面防水テープ２３の断面構造は、中央に基材２３１を有し、基材の上面および下面に接着剤２３２，２３３が塗布されている（図５参照）。
【００１４】
同様に、上筐体３０は、開いた状態で上面に表示部３１１を有し下方が開口した矩形箱状の上カバー３１と、上方が開口した矩形箱状の上ケース３２とを有する。上カバー３１と上ケース３２とを組み合わせて形成される内部空間には、第２回路基板である上回路基板３４を収容する。上カバー３１および上ケース３２は、各々外周に沿って全体コ字状に外壁３５１，３５２を有し、連結部４０側端部には上カバー３１および上ケース３２を幅方向に横切る縦壁３６１，３６２を対向する位置に有する。
【００１５】
カバーおよびケースの境界線である上カバー３１および上ケース３２の間には、縦壁３６１，３６２の上端面および３辺の外壁３５１，３５２の上端面を通る矩形枠状の第２両面防水テープ３３が貼設されており、この第２両面防水テープ３３を介して上筐体３０が一体化されている。
【００１６】
下筐体２０と上筐体３０は、連結部４０によって開閉可能に機械的に連結されるとともに、接続部材としてのフレキシブルプリント基板（ＦＰＣ;Flexible Printed Circuits、以後、「ＦＰＣ」という。）４１を介して電気的に接続されている。すなわち、ＦＰＣ４１の一端は下筐体２０の下回路基板２４に接続され、他端は上筐体３０の上回路基板３４に接続されている。
【００１７】
次に、ＦＰＣ４１が下筐体２０および上筐体３０から引き出される引出構造について説明する。なお、下筐体２０および上筐体３０について、全く同様の構造をしているので、下筐体２０を例として説明し、上筐体３０については説明文中および図４および図５において符号をカッコ書きで示す。
【００１８】
図３乃至図５に示すように、下カバー２１（上カバー３１、以後単に「３１」で示す。）の縦壁２６１（３６１）の先端（下端）には凹部２８１（３８１）が設けられ、下ケース２２（上ケース３２、以後単に「３２」で示す。）の縦壁２６２（３６２）の先端（上端）には凹部２８２（３８２）が設けられている。凹部２８１（３８１）と凹部２８２（３８２）は対向する位置に設けられており、下カバー２１（３１）と下ケース２２（３２）とを接合すると、凹部２８１（３８１）および凹部２８２（３８２）によってＦＰＣ４１を貫通させる第１孔２８（第２孔３８）が形成される。
【００１９】
前述したように、止水部材としての第１両面防水テープ２３（第２両面防水テープ３３）は、下ケース２２（３２）の縦壁２６２（３６２）の上端面および３辺の外壁２５２（３５２）の上端面を通って矩形枠状の貼設されており、第１孔２８（３８）位置においては、縦壁２６２（３６２）の凹部２８２（３８２）に沿って貼設されてＦＰＣ４１を下面から保持するように、下方へ凹んだＦＰＣ保持部２３１（３３１）を有する。このＦＰＣ保持部２３１（３３１）に対向して、ＦＰＣ４１を上面から保持する止水部材としての第２両面防水テープ５１（５２）が、下カバー２１（３１）の縦壁２６１（３６１）の凹部２８１（３８１）に沿って貼設されている。なお、第２両面防水テープ５１（５２）として、第１両面防水テープ２３（第２両面防水テープ３３）と同じものを用いることができる。
【００２０】
下カバー２１（３１）および下ケース２２（３２）には、それぞれ縦壁２６１（３６１），２６２（３６２）より連結部４０側に第１リブ２７１（第２リブ３７１），２７２（３７２）が設けられており、先端には同様に凹部２９１（３９１），２９２（３９２）がそれぞれ設けられている。下カバー２１（３１）と下ケース２２（３２）とを接合すると、凹部２９１（３９１）と凹部２９２（３９２）とが組み合わされて、ＦＰＣ４１を貫通させる通路２９（３９）が形成される。すなわち、第１孔２８（３８）は、第１リブ２７１（３７１），２７２（３７２）よりも下回路基板２４（上回路基板３４）側に位置する。
【００２１】
また、下ケース２２（３２）の外壁２５２（３５２）における縦壁２６２（３６２）の前端（連結部４０側端部）には段差２５３（３５３）が設けられている。段差２５３（３５３）の高さＨは、外壁２５２（３５２）の上端面に貼設された第１両面防水テープ２３（３３）の厚さを吸収して、下カバー２１（３１）と下ケース２２（３２）を接合する高さである。
【００２２】
次に、下筐体２０および上筐体３０の組み付け方について説明する。なお、下筐体２０および上筐体３０について組み付け方は全く同様なので、下筐体２０について説明する。
まず、下ケース２２の縦壁２６２の上端面および３辺の外壁２５２の上端面に第１両面防水テープ２３を貼設し、第１両面防水テープ２３のＦＰＣ保持部２３１を縦壁２６２の凹部２８２に沿って隙間なく貼設する。ＦＰＣ４１を第１両面防水テープ２３のＦＰＣ保持部２３１の上面に貼り付けて配線するとともに下回路基板２４に接続し、ＦＰＣ保持部２３１の上から第２両面防水テープ５１を隙間なく貼設する。そして、下カバー２１を下ケース２２に被せ、第１両面防水テープ２３および第２両面防水テープ５１によって、下カバー２１と下ケース２２とを隙間なく貼り付けて下筐体２０を形成する。
【００２３】
以上、説明した本発明に係る実施形態の折り畳み式携帯端末１０によれば、下筐体２０と上筐体３０は開閉可能に接続されており、下筐体２０の下回路基板２４と、上筐体３０の上回路基板３４とは、ＦＰＣ４１により接続されている。ＦＰＣ４１は、第１両面防水テープ２３および第２両面防水テープ５１により覆われて下筐体２０の第１孔２８を貫通した後に、第１孔２８より外側に設けられた第１リブ２７１，２７２の通路２９に接触して下筐体２０から引き出されるので、第１リブ２７１，２７２によりＦＰＣ４１の上下左右への揺動範囲が規制され、揺動の影響は第１孔２８の位置では大幅に低減できる。これにより、ＦＰＣ４１の揺動による第１両面防水テープ２３および第２両面防水テープ５１の劣化が回避できるので、下筐体２０とＦＰＣ４１との間の防水信頼性を確保できる。
【００２４】
また、下筐体２０は下カバー２１と下ケース２２を合わせて構成されており、第１孔２８および通路２９が下カバー２１および下ケース２２の境界線（面）に設けられている。すなわち、下カバー２１の下端面および下ケース２２の上端面に設けられているので、製作が容易である。
【００２５】
また、下筐体２０と同様に、上筐体３０においてもＦＰＣ４１は、第１両面防水テープ３３および第２両面防水テープ５２により覆われて上筐体３０の第２孔３８を貫通した後に、第２孔３８より外側に設けられた第２リブ３７１，３７２の通路３９に接触して上筐体３０から引き出されるので、第２リブ３７１，３７２によりＦＰＣ４１の上下左右への揺動範囲が規制され、揺動の影響は第２孔３８の位置では大幅に低減できる。これにより、ＦＰＣ４１の揺動による第１両面防水テープ３３および第２両面防水テープ５２の劣化が回避できるので、上筐体３０とＦＰＣ４１との間の防水信頼性を確保できる。
【００２６】
なお、本発明の折畳電子機器は、前述した実施形態に限定されるものでなく、適宜な変形，改良等が可能である。
例えば、前述した実施形態において、接続部材としてＦＰＣ４１を用い、止水部材として第１両面防水テープ２３、３３および第２両面防水テープ５１、５２を用いた場合を例示したが、図６に示すように、本発明は細線同軸４２を用いるにも適用可能である。この場合には、下ケース２２の縦壁２６２に貫通穴５３を設け、第１リブ２７２にも貫通穴５４を設け、各貫通穴５３，５４に各々止水部材としてゴム製や樹脂製のキャップ５５，５６を取り付ける。そして、各キャップ５５，５６の貫通穴に細線同軸４２を通して、下筐体２０から引き出す。なお、上筐体３０についても、同様である。
【００２７】
このようにしても、第１リブ２７２のキャップ５６により細線同軸４２の上下左右への揺動範囲が規制され、揺動の影響は第１孔２８の位置では大幅に低減できる。これにより、細線同軸４２の揺動による縦壁２６２のキャップ５５の劣化が回避できるので、下筐体２０と細線同軸４２との間の防水信頼性を確保できる。
【符号の説明】
【００２８】
１０  折り畳み式携帯端末（折畳電子機器）
２０  下筐体（第１筐体）
２１  下カバー（カバー）
２２  下ケース（ケース）
２３  第１両面防水テープ（止水部材）
２４  下回路基板（第１回路基板）
２７１、２７２  第１リブ
２８  第１孔
３０  上筐体（第２筐体）
３３  第２両面防水テープ（止水部材）
３４  上回路基板（第２回路基板）
３７１、３７２  第２リブ
３８  第２孔
４１  ＦＰＣ（接続部材）
５１、５２  第２両面防水テープ（止水部材）
【図１】
2011228892.tif 000003
【図２】
2011228892.tif 000004
【図３】
2011228892.tif 000005
【図４】
2011228892.tif 000006
【図５】
2011228892.tif 000007
【図６】
2011228892.tif 000008
【図７】
2011228892.tif 000009
【図８】
2011228892.tif 000010